(57)【特許請求の範囲】
【請求項１】
制御機器を制御する制御装置と、前記制御機器に電力を伝達する回路に電力を供給する遠隔操作可能なリレーを有する分電盤とを有する制御システムであって、
接続されている全ての制御機器が停止状態である回路を開く制御信号を前記リレーに出力し、接続されている制御機器のうち少なくとも１つが動作状態である回路を閉じる制御信号を前記リレーに出力する出力部；
を具備し、
前記出力部は、
前記制御機器を停止状態から動作状態に切り替える制御信号が出力される所定のタイミングが予め設定され、当該所定のタイミングから前記制御機器の起動時間分前に、当該制御機器が接続されている回路を閉じる制御信号を前記リレーに出力し、前記制御機器をスタンバイさせる
ことを特徴とする制御システム。
【請求項２】
前記出力部は、
予め定められた時刻に、前記回路を開く制御信号を前記リレーに出力する
ことを特徴とする請求項１に記載の制御システム。
【請求項３】
前記制御装置は、
前記出力部が前記回路を閉じる制御信号を出力した後に、前記制御機器を点灯する制御信号を出力する
ことを特徴とする請求項１または２に記載の制御システム。
【請求項４】
前記制御装置は、
前記出力部が前記回路を開く制御信号を出力すると同時に、前記制御機器を消灯する制御信号を出力する
ことを特徴とする請求項１〜３のいずれか一つに記載の制御システム。
【請求項５】
前記分電盤は、
前記回路に接続される主幹ブレーカの電圧を測定する電圧センサと；
前記電圧センサによって電源瞬停が測定された場合に、前記電圧センサによって測定された電圧波形を記録する電圧記録部と；
をさらに具備することを特徴とする請求項１〜４のいずれか一つに記載の制御システム。
【請求項６】
前記分電盤は、
前記回路に接続されるリレーに流れる電流を測定する電流センサと；
前記リレーの制御信号と当該リレーの状態が一致しない場合に、前記電流センサによって測定された電流波形を記録する電流記録部と；
をさらに具備することを特徴とする請求項１〜５のいずれか一つに記載の制御システム。
【発明の詳細な説明】
【技術分野】
【０００１】
本発明は、制御システムに関する。
【背景技術】
【０００２】
従来、スタジオや舞台等は、複数の照明機器により照明演出がなされており、各照明機器側に設定される制御アドレスを用いて、照明制御装置が各照明機器を遠隔制御する照明制御システムが導入されている。
【０００３】
このような照明制御システムでは、近年、照明機器としてＬＥＤ（Light  Emitting  Diode）器具が用いられている。このような照明機器は、消灯してもＬＥＤ器具を制御する制御回路が動作しているので、待機電力が発生する。このため、このような照明機器は、ハロゲンランプ等の電球と比較して、不使用時に多くの電力を消費するので待機電力が大きい。
【先行技術文献】
【特許文献】
【０００４】
【特許文献１】特開２０１５−１９８４７７号公報
【発明の概要】
【発明が解決しようとする課題】
【０００５】
本発明が解決しようとする課題は、待機電力を減らすことができる制御システムを提供することである。
【課題を解決するための手段】
【０００６】
実施形態に係る制御システムは、制御機器を制御する制御装置と、前記制御機器に電力を伝達する回路に電力を供給する遠隔操作可能なリレーを有する分電盤とを有する制御システムであって、接続されている全ての制御機器が停止状態である回路を開く制御信号を前記リレーに出力し、接続されている制御機器のうち少なくとも１つが動作状態である回路を閉じる制御信号を前記リレーに出力する出力部を具備する。
【図面の簡単な説明】
【０００７】
【図１】図１は、第１の実施形態に係る照明制御システムの構成の一例を示すブロック図である。
【図２】図２は、第１の実施形態に係る照明機器およびバトン装置の機能構成の一例を示すブロック図である。
【図３】図３は、第１の実施形態に係る照明制御装置の機能構成の一例を示すブロック図である。
【図４】図４は、第１の実施形態に係るアドレス管理テーブルに格納された情報の一例を示す図である。
【図５】図５は、第１の実施形態に係るタイミング管理テーブルに格納された情報の一例を示す図である。
【図６】図６は、第１の実施形態に係る分電盤の機能構成の一例を示すブロック図である。
【図７】図７は、第１の実施形態に係る回路管理テーブルに格納された情報の一例を示す図である。
【図８】図８は、第１の実施形態に係る不使用時刻管理テーブルに格納された情報の一例を示す図である。
【図９】図９は、第１の実施形態に係る照明制御システムにおける制御処理の一例を示すフローチャートである。
【図１０】図１０は、変形例に係る照明制御システムにおける制御処理を説明するための説明図である。
【図１１】図１１は、第２の実施形態に係る分電盤の機能構成の一例を示すブロック図である。
【図１２】図１２は、第２の実施形態に係る照明制御システムにおける記録処理の一例を示すフローチャートである。
【発明を実施するための形態】
【０００８】
以下で説明する実施形態に係る照明制御システム１（制御システムの一例に相当）は、照明機器１０（制御機器の一例に相当）を制御する照明制御装置５０（制御装置の一例に相当）と、照明機器１０に電力を伝達する回路６０に電力を供給する遠隔操作可能なリレー１２５を有する分電盤１００とを有する制御システムである。また、照明制御システム１は、接続されている全ての照明機器１０が停止状態である回路６０を開く制御信号をリレー１２５に出力し、接続されている照明機器１０のうち少なくとも１つが動作状態である回路６０を閉じる制御信号をリレー１２５に出力する出力部５６を具備する。
【０００９】
また、以下で説明する実施形態に係る照明制御システム１において、出力部５６は、照明機器１０を停止状態から動作状態に切り替える制御信号が出力されるよりも所定の時間だけ先に、照明機器１０が接続されている回路６０を閉じる制御信号をリレー１２５に出力してもよい。
【００１０】
また、以下で説明する実施形態に係る照明制御システム１において、出力部５６は、予め定められた時刻に、回路６０を開く制御信号をリレー１２５に出力してもよい。
【００１１】
また、以下で説明する実施形態に係る照明制御システム１において、照明制御装置５０は、出力部５６が回路６０を閉じる制御信号を出力した後に、照明機器１０を点灯する制御信号を出力してもよい。
【００１２】
また、以下で説明する実施形態に係る照明制御システム１において、照明制御装置５０は、出力部５６が回路６０を開く制御信号を出力すると同時に、照明機器１０を消灯する制御信号を出力してもよい。
【００１３】
また、以下で説明する実施形態に係る照明制御システム２において、分電盤２００は、回路６０に接続される主幹ブレーカ１２３の電圧を測定する電圧センサ２２６と、電圧センサ２２６によって電源瞬停が測定された場合に、電圧センサ２２６によって測定された電圧波形を記録する電圧記録部２３３とをさらに具備してもよい。
【００１４】
また、以下で説明する実施形態に係る照明制御システム２において、分電盤２００は、回路６０に接続されるリレー１２５に流れる電流を測定する電流センサ２２７と、リレー１２５の制御信号とリレー１２５の状態が一致しない場合に、電流センサ２２７によって測定された電流波形を記録する電流記録部２３４とをさらに具備してもよい。
【００１５】
以下、図面を参照して、実施形態に係る照明制御システムを説明する。実施形態において同一の機能を有する構成には同一の符号を付し、重複する説明は省略する。なお、以下の実施形態で説明する照明制御システムは、一例を示すに過ぎず、実施形態を限定するものではない。例えば、以下の実施形態では、照明制御システムは、照明機器以外にも、任意の装置の制御にも適用することができる。なお、以下の各実施形態は、矛盾しない範囲内で適宜組みあわせてもよい。
【００１６】
［第１の実施形態］
（第１の実施形態に係る照明制御システムの構成）
図１は、第１の実施形態に係る照明制御システムの構成の一例を示すブロック図である。第１の実施形態に係る照明制御システム１は、複数の照明機器１０（１０−１〜１０−ｎ）、複数のバトン装置２０（２０−１〜２０−ｎ）、ハブ３０、照明制御装置５０、分電盤１００を有する。なお、照明制御システム１に接続される照明機器１０およびバトン装置２０の種別や数などは任意に設定できる。
【００１７】
照明制御システム１において、照明機器１０は、ＤＭＸ規格に従った通信プロトコルや、ＤＭＸ規格を拡張したＲＤＭ（Remote  Device  Management）規格に沿った通信方式により、バトン装置２０や照明制御装置５０と双方向通信が可能であり、バトン装置２０に接続される。また、照明機器１０は、ＬＥＤ（Light  Emitting  Diodes）等の半導体発光素子を有し、制御信号に従って、明るさ、範囲、色彩等を変化させることで、スタジオや舞台等の照明演出を行う。また、照明機器１０は、照明機器１０に電力を伝達する回路６０（６０−１〜６０−ｎ）を介して分電盤１００に接続される。これにより、照明機器１０は、分電盤１００から電力が供給される。
【００１８】
バトン装置２０−１〜２０−ｎは、スタジオや舞台等の任意の空間に設置された、照明機器１０−１〜１０−ｎを吊り下げ可能な装置であり、イーサネット（登録商標）等の有線または無線によるネットワークによって、双方向通信が可能な態様でハブ３０と接続される。以下の説明では、バトン装置２０−２〜２０−ｎにもバトン装置２０−１と同様に照明機器１０−１〜１０−ｎが吊り下げられているものとして、説明を省略する。
【００１９】
ハブ３０は、イーサネット（登録商標）等の有線または無線によるネットワークによって、照明制御装置５０と双方向通信が可能な態様で接続され、照明制御装置５０と各バトン装置２０−１〜２０−ｎとの通信を中継する中継器である。また、ハブ３０は、分電盤１００と双方向通信が可能な態様で接続され、照明制御装置５０と分電盤１００との間の通信を中継する。
【００２０】
照明制御装置５０は、各種の制御信号を出力する。具体的には、照明制御装置５０は、オペレータから照明機器１０に対する操作指令を受付けると、照明機器１０−１〜１０−ｎに付与された制御アドレスを含む制御情報を生成し、ハブ３０を介してバトン装置２０−１〜２０−ｎに制御情報を送信する。そして、バトン装置２０−１〜２０−ｎは、照明制御装置５０から制御情報を受信した場合に、制御情報をＤＭＸ規格やＲＤＭ規格に沿った制御信号（例えば、調光信号等）に変換し、制御アドレスが示す照明機器１０に対して制御信号を出力することで、照明機器１０−１〜１０−ｎの制御を行う。このように、照明制御装置５０は、制御アドレスを用いて、照明機器１０−１〜１０−ｎを遠隔制御する。
【００２１】
分電盤１００は、照明機器１０に電力を伝達する複数の回路６０−１〜６０−ｎを有し、回路６０−１〜６０−ｎに接続された各照明機器１０−１〜１０−ｎに電力を供給する。例えば、分電盤１００は、入力電圧、入力電流、漏電など電源に関する機能や、出力電流、漏電など負荷に関する機能、温度など盤内の状態に関する機能、主幹ブレーカや回路ブレーカの開閉に関する機能、各種情報の表示や操作を受け付ける機能などを有する。
【００２２】
（第１の実施形態に係る各装置の機能構成）
［照明機器およびバトン装置の構成］
続いて、図２を用いて、第１の実施形態に係る照明機器１０およびバトン装置２０−１の機能構成の一例を説明する。図２は、第１の実施形態に係る照明機器１０およびバトン装置２０−１の機能構成の一例を示すブロック図である。なお、以下の説明では、照明機器１０−２〜１０−ｎは、照明機器１０−１と同様の構成および機能を発揮するものとして、説明を省略する。また、バトン装置２０−２〜２０−ｎは、バトン装置２０−１と同様の構成および機能を発揮するものとして、説明を省略する。
【００２３】
まず、照明機器１０−１の構成について説明する。照明機器１０−１は、図２に示すように、回路６０−１を介して分電盤１００に接続され、電力が供給される。例えば、照明機器１０−１は、回路６０−１に対応するリレー１２５が分電盤１００によってオンにされた場合に、電力が供給される。第１の実施形態に係る照明機器１０−１は、記憶部１３、通信部１４、制御部１５、光源部１６を有する。
【００２４】
記憶部１３は、照明機器１０−１が有する不揮発性のメモリであり、ＨＤＤ（Hard  Disk  Drive）、ＳＳＤ（Solid  State  Drive）、フラッシュメモリ、ＲＡＭ（Random  Access  Memory）等の記憶装置により実現される。記憶部１３には、照明機器１０−１の照明機器情報が登録される。例えば、照明機器情報としては、製造会社名、機器型番、ＵＩＤ、ＤＭＸアドレスといった情報が含まれる。
【００２５】
ここで、製造会社名とは、照明機器１０の製造会社名である。機器型番とは、製造会社によって定められた照明機器１０の型番である。ＵＩＤとは、ＲＤＭ規格で用いられる装置ごとに固有の番号であり、各照明機器１０−１〜１０−ｎに予め付与される１２桁の１６進数で表される情報である。また、ＤＭＸアドレスとは、ＤＭＸのデータリンク上におけるアドレス、すなわち、照明制御装置５０が照明機器１０を制御する際に用いる制御アドレスである。
【００２６】
通信部１４は、照明機器１０−１と照明制御装置５０との間の通信を制御する通信装置であり、例えば、ＮＩＣ等により実現される。具体的には、通信部１４は、所定の有線コネクタを介し、ＲＤＭ規格に沿った通信方式でバトン装置２０−１との間で信号の送受信を行う有線通信機能と、無線ＬＡＮ等の無線通信網を介して、照明制御装置５０と通信を行う無線通信機能とを有する。
【００２７】
制御部１５は、各照明機器１０が有する光源の制御を行うデバイスである。例えば、照明制御装置５０は、照明機器１０−１の照明態様を制御する場合に、バトン装置２０−１を介して、照明機器１０−１に設定された制御アドレスと制御内容とを示す制御信号を照明機器１０−１に出力する。このような場合、制御部１５は、バトン装置２０−１から受信した制御信号に従って、光源部１６を制御する。
【００２８】
また、照明制御装置５０は、各照明機器１０−１〜１０−ｎの照明機器情報を収集する場合に、無線通信網を介して、各照明機器１０−１〜１０−ｎに照明機器情報の送信を要求する送信要求を送信する。このような場合、制御部１５は、通信部１４を介して送信要求を受信すると、記憶部１３から照明機器情報を読出し、無線通信網を介して、読み出した照明機器情報を照明制御装置５０に送信する。
【００２９】
光源部１６は、照明機器１０−１が有する光源である。具体的には、光源部１６は、制御部１５の制御に従って、照度、照明する範囲、色彩等を制御可能なＬＥＤ等の半導体発光素子により実現される。
【００３０】
次に、バトン装置２０−１の構成について説明する。第１の実施形態に係るバトン装置２０−１は、通信部２３および複数のポート２４−１〜２４−ｎを有する。通信部２３は、ハブ３０を介して、制御情報と制御信号との変換を行うことで、照明機器１０−１〜１０−ｎや照明制御装置５０との間の通信を中継する通信装置であり、例えば、ＮＩＣ等の通信装置によって実現される。
【００３１】
ポート２４−１〜２４−ｎは、それぞれを識別するためのポート番号「１」〜「ｎ」が付与されたポートであり、例えば、ＲＤＭ規格に従って照明機器１０−１〜１０−ｎと信号を送受信するための所定のコネクタである。
【００３２】
［照明制御装置の構成］
続いて、図３を用いて、第１の実施形態に係る照明制御装置５０の機能構成の一例を説明する。図３は、第１の実施形態に係る照明制御装置５０の機能構成の一例を示すブロック図である。第１の実施形態に係る照明制御装置５０は、通信部５１、操作部５２、記憶部５３、表示部５４、制御部５５を有する。
【００３３】
通信部５１は、照明機器１０や分電盤１００との間の通信を制御する通信装置であり、例えば、ＮＩＣ等により実現される。具体的には、通信部５１は、ハブ３０及びバトン装置２０を介して、照明機器１０との間でＲＤＭ規格に沿った通信方式で情報の送受信を行う有線通信機能と、無線ＬＡＮ等の無線通信網を介して、照明機器１０との間で通信を行う無線通信機能とを有する。また、通信部５１は、分電盤１００が有するリレー１２５を制御する制御信号や、回路６０に接続されている照明機器１０などの接続機器に関する情報などを分電盤１００に送信する通信を行なう。
【００３４】
操作部５２は、各照明機器１０−１〜１０−ｎに対する操作を受付ける。例えば、操作部５２は、各照明機器１０−１〜１０−ｎの照度を変更する操作を受付ける複数のフェーダを有する。なお、各フェーダには、それぞれ個別のフェーダ番号が付与されているものとする。また、操作部５２は、分電盤１００が具備するリレー１２５をオンまたはオフにする操作を受付ける。なお、操作部５２は、タッチパネル等を利用して構成することもできる。
【００３５】
記憶部５３は、ＨＤＤ、ＳＳＤ、フラッシュメモリ、ＲＡＭ等の記憶装置により実現される。具体的には、記憶部５３は、アドレス管理テーブル５３ａと、タイミング管理テーブル５３ｂとを記憶する。アドレス管理テーブル５３ａには、各照明機器１０−１〜１０−ｎに関する各種の情報が登録される。タイミング管理テーブル５３ｂには、照明機器１０を点灯するタイミングに関する情報が登録される。この点について図４〜図５を用いて説明する。
【００３６】
図４は、第１の実施形態に係るアドレス管理テーブル５３ａに格納される情報の一例を示す図である。図４に示すように、アドレス管理テーブル５３ａには、制御アドレスと照明機器１０に関する情報とが対応付けて登録される。
【００３７】
ここで、「制御アドレス」は、対応付けられた識別情報が示す照明機器１０を制御する際に用いられる制御アドレス、すなわちＤＭＸアドレスである。「識別情報」は、各照明機器１０−１〜１０−ｎを識別するための情報であり、例えば、ＵＩＤである。「器具情報」は、照明機器１０の種類や消費電力など機器の特徴を示す情報である。「接続状況」は、照明機器１０が接続されている回路に関する情報である。例えば、「接続状況」は、照明機器１０が回路に接続されている場合には、回路の配線を示す情報が記憶される。一方、「接続状況」は、照明機器１０が回路に接続されていない場合には、ブランクとなる。
【００３８】
例えば、図４に示す例では、制御アドレス「１１」、識別情報「ＵＩＤ１」、器具情報「スポットライト、１ｋＷ」、接続状況「６０−１」が対応付けて登録されている。この情報は、識別情報「ＵＩＤ１」が示す照明機器に制御アドレス「１１」が設定されている旨を示す。また、この情報は、識別情報「ＵＩＤ１」が示す照明機器１０（例えば、照明機器１０−１）が消費電力「１ｋＷ」の「スポットライト」であり、配線「６０−１」に対応する回路に接続されている旨を示す。また、図４に示す例では、制御アドレス「１４」には、照明機器１０が回路に接続されていない旨を示す。
【００３９】
図５は、第１の実施形態に係るタイミング管理テーブル５３ｂに格納される情報の一例を示す図である。図５に示すように、タイミング管理テーブル５３ｂには、時間と制御アドレスとが対応付けて登録される。
【００４０】
ここで、「時間」は、照明機器１０の点灯や消灯を示す時間である。例えば、「時間」には、照明機器１０が設置された舞台で行われる演目の開始からの経過時間が記憶される。「制御アドレス」は、対応付けられた識別情報が示す照明機器１０を制御する際に用いられる制御アドレス、すなわちＤＭＸアドレスに対応する照明機器１０の点灯または消灯を示す情報である。例えば、「制御アドレス」には、制御アドレスに対応する照明機器１０を点灯する場合には「１」が記憶される。また、「制御アドレス」には、制御アドレスに対応する照明機器１０を消灯する場合には「０」が記憶される。
【００４１】
例えば、図５に示す例では、時間「00:00〜00:01」、制御アドレス１１「１」、制御アドレス１２「０」、制御アドレス１３「０」が対応付けて登録されている。この情報は、演目の開始からの経過時間が「00:00〜00:01」の時間帯では、制御アドレス「１１」に対応する照明機器１０を点灯する旨を示す。また、この情報は、演目の開始からの経過時間が「00:00〜00:01」の時間帯では、制御アドレス「１２」に対応する照明機器１０を消灯する旨を示す。また、この情報は、演目の開始からの経過時間が「00:00〜00:01」の時間帯では、制御アドレス「１３」に対応する照明機器１０を消灯する旨を示す。また、図５に示す例では、演目の開始からの経過時間が「00:02〜00:03」の時間帯では、制御アドレス「１１」、「１２」、「１３」に対応する照明機器１０を消灯する旨を示す。
【００４２】
図３に戻り説明を続ける。表示部５４は、各照明機器１０−１〜１０−ｎに対する操作を受付けるフェーダの情報などを表示する表示装置である。例えば、表示部５４は、液晶モニタやタッチパネル等により実現される。
【００４３】
制御部５５は、各照明機器１０−１〜１０−ｎを制御するデバイスである。制御部５５としては、ＣＰＵ（Central  Processing  Unit）、ＭＰＵ（Micro  Processing  Unit）等の電子回路や、ＡＳＩＣ（Application  Specific  Integrated  Circuit）、ＦＰＧＡ（Field  Programmable  Gate  Array）等の集積回路を採用できる。制御部５５は、各種の処理手順を規定したプログラムや制御データを格納するための内部メモリを有し、これらによって種々の処理を実行する。制御部５５は、各種のプログラムが動作することにより各種の処理部として機能する。具体的には、制御部５５は、制御アドレスを用いて、各照明機器１０−１〜１０−ｎの制御を行う。例えば、制御部５５は、出力部５６を具備する。
【００４４】
出力部５６は、各種の情報を出力する。具体的には、出力部５６は、いずれかのフェーダが操作を受付けた場合は、操作内容と、操作を受付けたフェーダのフェーダ番号と対応付けられた制御アドレスとを示す制御信号を生成し、生成した制御信号を照明機器１０に出力する。この結果、操作を受付けたフェーダと対応付けられた照明機器１０は、制御信号に従って、照明態様の制御を行う。
【００４５】
また、出力部５６は、分電盤１００が具備するリレー１２５を制御する制御信号を出力する。具体的には、出力部５６は、接続されている全ての照明機器１０が停止状態である回路６０を開く制御信号をリレー１２５に出力し、接続されている照明機器１０のうち少なくとも１つが動作状態である回路６０を閉じる制御信号をリレー１２５に出力する。言い換えると、出力部５６は、待機電力を減らすために、回路６０に接続された照明機器１０が１つも使用されていない場合には、かかる回路６０を開く制御信号を出力する。例えば、出力部５６は、回路ごとに、回路６０に接続された照明機器１０が停止状態か動作状態かを判断し、回路６０に接続されている全ての照明機器１０が停止状態である回路６０を開く制御信号をリレー１２５に出力する。一例としては、出力部５６は、所定の期間ごとに、回路６０に接続された照明機器１０が停止状態か動作状態かを判断して制御信号をリレー１２５に出力する。
【００４６】
なお、出力部５６は、例えば、回路ごとに制御信号から、回路６０に接続された照明機器１０が停止状態か動作状態かを判断する。一態様としては、出力部５６は、回路６０に接続された照明機器１０への制御信号が全て停止を示す場合に、かかる回路６０を開く制御信号をリレー１２５に出力する。一方、出力部５６は、回路６０に接続された照明機器１０への制御信号のうち少なくとも１つが動作を示す場合に、かかる回路６０を閉じる制御信号をリレー１２５に出力する。また、出力部５６は、回路６０に接続された照明機器１０の位置を示す制御アドレスに関する情報を分電盤１００に出力する。
【００４７】
また、上述した照明制御装置５０は、ＣＰＵとＲＡＭ、ＥＥＰＲＯＭ、フラッシュメモリなどを有するコンピュータが、所定の記録媒体に登録された制御プログラムを読み取り、読み取った制御プログラムを実行することにより、実現されてもよい。
【００４８】
［分電盤の構成］
続いて、図６を用いて、第１の実施形態に係る分電盤１００の機能構成の一例を説明する。図６は、第１の実施形態に係る分電盤１００の機能構成の一例を示すブロック図である。図６に示すように、第１の実施形態に係る分電盤１００は、通信部１１０、記憶部１２０、表示部１２１、電源部１２２、主幹ブレーカ１２３、分岐ブレーカ１２４（１２４−１〜１２４−ｎ）、リレー１２５（１２５−１〜１２５−ｎ）、制御部１３０を有する。
【００４９】
通信部１１０は、照明制御装置５０との間の通信を制御する通信装置であり、例えば、ＮＩＣ等により実現される。具体的には、通信部１１０は、照明制御装置５０との間で情報の送受信を行う通信機能を有する。例えば、通信部１１０は、照明制御装置５０からリレー１２５を制御する制御信号を受信する通信を行なう。
【００５０】
記憶部１２０は、ＨＤＤ、ＳＳＤ、フラッシュメモリ、ＲＡＭ等の記憶装置により実現される。具体的には、記憶部１２０は、回路管理テーブル１２０ａと、不使用時刻管理テーブル１２０ｂとを記憶する。回路管理テーブル１２０ａには、各回路６０−１〜６０−ｎに関する情報が登録される。不使用時刻管理テーブル１２０ｂには、照明機器１０を使用しない時間帯に関する情報が登録される。この点について図７〜図８を用いて説明する。
【００５１】
図７は、第１の実施形態に係る回路管理テーブル１２０ａに格納される情報の一例を示す図である。図７に示すように、回路管理テーブル１２０ａには、回路６０を識別する識別情報と回路６０に接続されている負荷の位置に関する情報とが対応付けて登録される。
【００５２】
ここで、「回路ＩＤ」は、各回路６０−１〜６０−ｎを識別する識別情報である。例えば、「回路ＩＤ」には、回路ごとに個別に割り当てられるユニークな英数字等の文字列などが記憶される。「負荷位置情報」は、回路６０に接続された負荷の位置を示す情報である。例えば、「負荷位置情報」には、回路６０に接続された照明機器１０の位置を示す制御アドレスが記憶される。一例としては、「負荷位置情報」には、照明制御装置５０から送信された照明機器１０の制御アドレスが記憶される。
【００５３】
例えば、図７に示す例では、回路ＩＤ「６０−１」、負荷位置情報「１１」、「１２」、「１３」が対応付けて登録されている。この情報は、回路ＩＤ「６０−１」に対応する回路（例えば、回路６０−１）は、制御アドレス「１１」、「１２」、「１３」の位置に照明機器１０等の負荷が接続されている旨を示す。
【００５４】
続いて、図８を用いて不使用時刻管理テーブル１２０ｂについて説明する。図８は、第１の実施形態に係る不使用時刻管理テーブル１２０ｂに格納される情報の一例を示す図である。図８に示すように、不使用時刻管理テーブル１２０ｂには、照明機器１０を使用しない時刻が登録される。ここで、「不使用時刻」は、照明機器１０を使用しない時刻である。例えば、「不使用時刻」には、夜間や休業日などといった照明機器１０を使用しない営業時間外の時間帯などが記憶される。例えば、図８に示す例では、「2016/3/5  23:00〜07：00」の時間帯は、照明機器１０を使用しない旨を示す。
【００５５】
図６に戻り、表示部１２１は、各種の情報を表示する。具体的には、表示部１２１は、回路６０に関する情報を表示する。より具体的には、表示部１２１は、回路管理テーブル１２０ａに記憶された回路６０に関する情報を読み出して表示する。また、表示部１２１は、回路６０の電力供給をリレー１２５によって制御する操作を受け付ける。例えば、表示部１２１は、画面上に表示された回路６０に対応するオブジェクトを選択する操作を受け付けることで、回路６０に電力を供給するリレー１２５をオンまたはオフに切り替える操作を受け付ける。なお、表示部１２１は、例えば、液晶モニタやタッチパネル等の表示装置により実現される。
【００５６】
電源部１２２は、電力を供給する電源装置である。具体的には、電源部１２２は、各照明機器１０−１〜１０−ｎに電力を供給する。例えば、電源部１２２は、後述するリレー制御部１３１による制御に従ってリレー１２５がオンにされた場合に、かかるリレー１２５に対応する回路６０に接続された照明機器１０に電力の供給を開始する。
【００５７】
主幹ブレーカ１２３は、分電盤１００が有する全ての回路６０の電力供給をまとめて制御する。また、主幹ブレーカ１２３は、全ての回路６０に流れる電流の量が所定値を超えると電力供給を遮断する。例えば、主幹ブレーカ１２３は、消費電力の増加や漏電等により、各配線を介して供給される電流の合計値が予め設定された所定の閾値を超えた場合に、電力供給を遮断する。
【００５８】
分岐ブレーカ１２４は、後述するリレー１２５による制御に従って、回路６０の電力供給を回路ごとに制御する。また、分岐ブレーカ１２４は、各回路６０に流れる電流の量が所定値を超えると電力供給を遮断する。例えば、分岐ブレーカ１２４は、回路６０に流れる電流が予め設定された所定の閾値を超えた場合に、かかる回路６０の電力供給を遮断する。
【００５９】
リレー１２５は、照明機器１０に電力を伝達する回路６０に電力を供給する制御を行なう。具体的には、リレー１２５は、後述するリレー制御部１３１による制御に従って回路の開閉を制御する。例えば、リレー１２５は、リレー制御部１３１からリレー１２５をオンにする指示が出力された場合に、リレー１２５に対応する回路６０の接続を閉じて電力を供給する。これにより、回路６０に接続された照明機器１０は、電力が供給されて点灯する。一方、リレー１２５は、リレー制御部１３１からリレー１２５をオフにする指示が出力された場合に、リレー１２５に対応する回路６０の接続を開放して電力供給を遮断する。これにより、回路６０に接続された照明機器１０は、電力が供給されなくなり消灯する。
【００６０】
また、リレー１２５は、照明制御装置５０によって遠隔操作可能なリレーが採用される。これにより、例えば、リレー１２５は、照明制御装置５０から回路６０を閉じる制御信号を受信した場合に、回路６０の接続を閉じて電力を供給する。また、リレー１２５は、照明制御装置５０から回路６０を開く制御信号を受信した場合に、回路６０の接続を開いて電力の供給を中止する。
【００６１】
制御部１３０は、各照明機器１０−１〜１０−ｎを制御するデバイスである。制御部１３０としては、ＣＰＵ、ＭＰＵ等の電子回路や、ＡＳＩＣ、ＦＰＧＡ等の集積回路を採用できる。制御部１３０は、各種の処理手順を規定したプログラムや制御データを格納するための内部メモリを有し、これらによって種々の処理を実行する。制御部１３０は、各種のプログラムが動作することにより各種の処理部として機能する。具体的には、制御部１３０は、リレー制御部１３１と、出力部１３２とを有する。
【００６２】
リレー制御部１３１は、分電盤１００が具備するリレー１２５を制御する。具体的には、リレー制御部１３１は、リレー１２５を制御することで、照明機器１０に電力を伝達する回路６０への電力供給を制御する。例えば、リレー制御部１３１は、回路６０に対応するリレー１２５をオンにすることで、回路６０に電力を供給する。一例としては、リレー制御部１３１は、リレー１２５をオンにする指示をリレー１２５に出力することで、かかるリレー１２５に対応する回路６０に電力を供給する。また、リレー制御部１３１は、回路６０に対応するリレー１２５をオフにすることで、回路６０への電力供給を中止する。例えば、リレー制御部１３１は、リレー１２５をオフにする指示をリレー１２５に出力することで、かかるリレー１２５に対応する回路６０への電力供給を遮断する。
【００６３】
また、リレー制御部１３１は、照明制御装置５０から出力された制御信号に従ってリレー１２５を制御する。具体的には、リレー制御部１３１は、照明制御装置５０から回路６０を閉じる制御信号を受信した場合に、回路６０の接続を閉じて電力を供給する。また、リレー制御部１３１は、照明制御装置５０から回路６０を開く制御信号を受信した場合に、回路６０の接続を開いて電力の供給を中止する。
【００６４】
出力部１３２は、各種の情報を出力する。具体的には、出力部１３２は、リレー制御部１３１の指示に従って制御信号を生成し、生成した制御信号をリレー１２５に出力する。例えば、出力部１３２は、照明制御装置５０から回路６０を閉じる制御信号を受信した場合に、回路６０の接続を閉じる制御信号をリレー１２５に出力する。また、出力部１３２は、照明制御装置５０から回路６０を開く制御信号を受信した場合に、回路６０の接続を開く制御信号をリレー１２５に出力する。
【００６５】
ここで、出力部１３２は、照明制御装置５０から受信した情報に基づいて制御信号を出力するに限らず、回路６０に接続されている照明機器１０の状態に基づいて制御信号を出力してもよい。具体的には、出力部１３２は、接続されている全ての照明機器１０が停止状態である回路６０を開く制御信号をリレー１２５に出力し、接続されている照明機器１０のうち少なくとも１つの照明機器１０が動作状態である回路６０を閉じる制御信号をリレー１２５に出力する。言い換えると、出力部１３２は、照明制御装置５０ではなく分電盤１００によって判断された照明機器１０の状態に基づいて制御信号を出力する。
【００６６】
また、出力部１３２は、回路管理テーブル１２０ａを参照し、回路６０に接続された照明機器１０が停止状態か動作状態かを、回路ごとに制御信号から判断して制御信号を出力してもよい。一態様としては、出力部１３２は、回路６０に接続された照明機器１０への制御信号が全て停止を示す場合に、かかる回路６０を開く制御信号をリレー１２５に出力する。一方、出力部１３２は、回路６０に接続された照明機器１０への制御信号のうち少なくとも１つが動作を示す場合に、かかる回路６０を閉じる制御信号をリレー１２５に出力する。これにより、分電盤１００は、照明制御装置５０を介さず単体で制御信号の出力を制御することができる。
【００６７】
上述した制御部１３０は、ＣＰＵとＲＡＭ、ＥＥＰＲＯＭ、フラッシュメモリなどを有するコンピュータが、所定の記録媒体に登録された制御プログラムを読み取り、読み取った制御プログラムを実行することにより、実現されてもよい。
【００６８】
［第１の実施形態に係る分電盤の処理手順］
次に、図９を用いて、第１の実施形態に係る照明制御システム１による制御処理の流れについて説明する。図９は、第１の実施形態に係る照明制御システム１における制御処理の一例を示すフローチャートである。
【００６９】
具体的には、照明制御システム１は、まず、照明機器１０に電力を伝達する回路６０の状態を確認する（ステップＳ１０１）。例えば、照明制御システム１は、回路６０に接続されている照明機器１０が停止状態であるか動作状態であるかを確認する。
【００７０】
そして、照明制御システム１は、接続されている全ての照明機器１０が停止状態である回路を開く制御信号をリレー１２５に出力する（ステップＳ１０３）。言い換えると、照明制御システム１は、回路６０に接続されている全ての照明機器１０が停止状態である場合に（ステップＳ１０２；Ｙｅｓ）、かかる回路６０を開く制御信号をリレー１２５に出力する。
【００７１】
また、照明制御システム１は、接続されている照明機器１０のうち少なくとも１つが動作状態である回路６０を閉じる制御信号をリレー１２５に出力する（ステップＳ１０４）。言い換えると、照明制御システム１は、回路６０に接続されている全ての照明機器１０が停止状態でない場合に（ステップＳ１０２；Ｎｏ）、かかる回路を閉じる制御信号をリレー１２５に出力する。
【００７２】
［第１の実施形態の効果］
上述してきたように、第１の実施形態に係る照明制御システム１によれば、接続されている全ての照明機器１０が停止状態である回路を開くことができるので、待機電力を減らすことができる。このため、照明制御システム１は、例えば、ＬＥＤなど消灯しても器具の制御回路が動作するシステムでも待機電力を抑制することができるので、電力の消費を減らすことができる。また、照明制御システム１は、接続されている照明機器１０のうち少なくとも１つが動作状態である回路を閉じることができるので、演出等に支障をきたすことなく待機電力の削減を図ることができる。
【００７３】
［第１の実施形態の変形例］
（１．リレー制御）
上記第１の実施形態では、照明制御システム１は、接続されている全ての照明機器１０が停止状態である回路を開く制御信号をリレー１２５に出力し、接続されている照明機器１０のうち少なくとも１つが動作状態である回路を閉じる制御信号をリレー１２５に出力する例を示した。ここで、照明制御システム１は、照明機器１０の状態を切り替える際にリレー１２５の制御を行なってもよい。
【００７４】
具体的には、照明制御システム１は、照明機器１０を停止状態から動作状態に切り替える制御信号が出力されるよりも所定の時間だけ先に、照明機器１０が接続されている回路６０を閉じる制御信号をリレー１２５に出力する。照明機器１０は電源を投入してから実際に動作を開始するまでに時間がかかる場合があるので、照明機器１０を点灯するより前に電源を投入することで事前にスタンバイしておくためである。例えば、照明制御装置５０の出力部５６は、照明機器１０を消灯から点灯に切り替える制御信号が出力されるよりも所定の時間前に、かかる照明機器１０が接続されている回路６０を閉じる制御信号を、分電盤１００が具備するリレー１２５に出力する。
【００７５】
これにより、照明制御システム１は、照明機器１０を停止状態から動作状態に切り替える際に事前に回路６０を閉じることができるので、タイムラグなく照明機器１０を切り替えることができる。例えば、照明制御システム１は、照明機器１０が電源投入から実際に動作を始めるまでに時間がかかる機器であっても、事前に回路６０を閉じるので、照明機器１０を所望のタイミングから遅れることなく制御することができる。
【００７６】
（２．不使用時刻）
上記第１の実施形態では、照明制御システム１は、接続されている全ての照明機器１０が停止状態である回路を開く制御信号をリレー１２５に出力し、接続されている照明機器１０のうち少なくとも１つが動作状態である回路を閉じる制御信号をリレー１２５に出力する例を示した。ここで、照明制御システム１は、照明機器１０を使用しない時刻に応じてリレー１２５を制御してもよい。
【００７７】
具体的には、照明制御システム１は、予め定められた時刻に、回路６０を開く制御信号をリレー１２５に出力する。例えば、分電盤１００の出力部１３２は、不使用時刻管理テーブル１２０ｂを参照し、現在時刻が照明機器１０を使用しない不使用時刻になった場合に、全ての回路６０を開く制御信号をリレー１２５に出力する。
【００７８】
なお、不使用時刻は、回路ごとに照明機器１０を使用しない時刻が設定されてもよい。この場合、分電盤１００の出力部１３２は、現在時刻が回路６０に接続された全ての照明機器１０を使用しない不使用時刻になった場合に、かかる回路６０を開く制御信号をリレー１２５に出力する。
【００７９】
これにより、照明制御システム１は、照明機器１０を使用しない時間帯には回路６０を開くことができるので、待機電力を減らすことができる。例えば、照明制御システム１は、夜間や休業日など予め照明機器１０を使用しない時間帯が分かっている場合に、電力の無駄な消費を減らすことができる。
【００８０】
（３．制御信号の出力）
上記第１の実施形態では、照明制御システム１は、接続されている全ての照明機器１０が停止状態である回路を開く制御信号をリレー１２５に出力し、接続されている照明機器１０のうち少なくとも１つが動作状態である回路を閉じる制御信号をリレー１２５に出力する例を示した。ここで、照明制御システム１は、照明機器１０の制御信号を出力するタイミングを制御してもよい。
【００８１】
具体的には、照明制御システム１では、照明制御装置５０は、出力部５６が回路６０を閉じる制御信号を出力した後に、照明機器１０を点灯する制御信号を出力する。言い換えると、照明制御装置５０は、分電盤１００が具備するリレー１２５をオンにする制御信号を出力後に、照明機器１０の点灯信号を出力する。また、照明制御システム１では、照明制御装置５０は、出力部５６が回路６０を開く制御信号を出力すると同時に、照明機器１０を消灯する制御信号を出力する。言い換えると、照明制御装置５０は、分電盤１００が具備するリレー１２５をオフにする制御信号と、照明機器１０の消灯信号とを同時に出力する。
【００８２】
これらの点について図１０を用いて説明する。図１０は、変形例に係る照明制御システム１における制御処理を説明するための説明図である。図１０に示すように、照明制御装置５０は、照明機器１０が具備する光源部１６を制御する調光信号を消灯信号から点灯信号に切り替える前に、分電盤１００が具備するリレー１２５をオンにするリレー制御信号を出力する。例えば、照明制御装置５０は、点灯信号を出力するタイミングからＬＥＤ器具の起動時間分前に、リレー１２５をオンにする制御信号を出力する。なお、ここで、点灯信号を出力するタイミングは、０％を超える明るさの点灯信号を照明機器１０に出力するタイミングを意味する。
【００８３】
なお、照明制御装置５０が出力する点灯信号は、明るさを０％から徐々に上げるものであってもよい。例えば、照明制御装置５０は、照明機器１０の明るさを徐々に上げる場合には、調光信号を消灯信号から点灯信号に切り替える前に、リレー１２５をオンにするリレー制御信号を出力する。一方、照明制御装置５０は、照明機器１０の明るさを一気に１００％にして点灯させる場合には、調光信号を消灯信号から点灯信号に切り替えると同時に、リレー１２５をオンにするリレー制御信号を出力してもよい。
【００８４】
また、照明制御装置５０は、図１０に示すように、照明機器１０が具備する光源部１６を制御する調光信号を点灯信号から消灯信号に切り替えると同時に、分電盤１００が具備するリレー１２５をオフにするリレー制御信号を出力する。
【００８５】
これにより、照明制御システム１は、照明機器１０を点灯する時だけ電力を供給することができるので、待機電力を減らすことができる。このため、照明制御システム１は、例えば、照明機器１０を消灯している時でも発生する制御回路の待機電力を削減して電気代を節約することができるとともに、環境にやさしい電力供給を実現することができる。また、照明制御システム１は、待機電力を減らすことができるので、例えば照明機器１０の接続台数が多いほど電気代の節約に貢献することができる。
【００８６】
なお、照明制御装置５０は、ＬＥＤ器具の起動時間が照明機器１０の点灯の遅延に影響を与えないほど短い場合には、照明機器１０が具備する光源部１６を制御する調光信号を消灯信号から点灯信号に切り替えると同時に、分電盤１００が具備するリレー１２５をオンにするリレー制御信号を出力してもよい。
【００８７】
［第２の実施形態］
上記の第１の実施形態では、照明制御システム１は、接続されている全ての照明機器１０が停止状態である回路を開く制御信号をリレー１２５に出力し、接続されている照明機器１０のうち少なくとも１つが動作状態である回路６０を閉じる制御信号をリレー１２５に出力する場合を説明したが、これに限定されない。具体的には、照明制御システム１では、回路６０に関する各種の波形の記録を行なってもよい。
【００８８】
（第２の実施形態に係る照明制御システムの機能構成）
例えば、第２の実施形態では、図示しない照明制御システム２は、複数の照明機器１０（１０−１〜１０−ｎ）、複数のバトン装置２０（２０−１〜２０−ｎ）、ハブ３０、照明制御装置５０、分電盤２００を有する。言い換えると、照明制御システム２は、照明制御システム１と比較して、分電盤１００にない機能をさらに有する分電盤２００を具備する。この点について、図１１を用いて詳細に説明する。なお、上記の実施形態と同様の機能を発揮する機能部については同一の符号を付し、その説明を省略することとする。
【００８９】
（第２の実施形態に係る分電盤の機能構成）
図１１は、第２の実施形態に係る分電盤２００の機能構成の一例を示す図である。図１１に示すように、分電盤２００は、分電盤１００と比較して、電圧センサ２２６と、電流センサ２２７（２２７−１〜２２７−ｎ）と、電圧記録部２３３と電流記録部２３４とをさらに有する制御部２３０とを具備する。
【００９０】
電圧センサ２２６は、電圧を測定する。具体的には、電圧センサ２２６は、回路６０に接続される主幹ブレーカ１２３の電圧を測定する。例えば、電圧センサ２２６は、主幹ブレーカ１２３の２次側の電源電圧波形を測定する。一例としては、電圧センサ２２６は、電源瞬停の発生を測定する。
【００９１】
電流センサ２２７は、回路６０に接続されるリレー１２５に流れる電流を測定する。具体的には、電流センサ２２７は、各分岐ブレーカ１２４−１〜１２４−ｎを介してリレー１２５に供給された電力量、すなわち、回路６０を介して供給された電力量を測定する。より具体的には、電流センサ２２７は、回路ごとに、リレー１２５に流れる電流の電流波形を測定する。また、電流センサ２２７は、各回路６０に流れる電流の電流値を測定する。例えば、電流センサ２２７は、リレー制御部１３１による制御に従ってリレー１２５がオンにされた際に、電流センサ２２７に対応する回路６０に流れる電流の電流値を測定する。
【００９２】
電圧記録部２３３は、電圧に関する情報を記録する。具体的には、電圧記録部２３３は、電圧センサ２２６によって電源瞬停が測定された場合に、電圧センサ２２６によって測定された電圧波形を記録する。例えば、電圧記録部２３３は、電源瞬停が検出された時の電圧波形を記録する。
【００９３】
電流記録部２３４は、電流に関する情報を記録する。具体的には、電流記録部２３４は、リレー１２５の制御信号とリレー１２５の状態が一致しない場合に、電流センサ２２７によって測定された電流波形を記録する。例えば、電流記録部２３４は、リレー１２５に制御信号を入力してリレー１２５の状態を検出し、制御信号と比較してリレー１２５の状態が一致しない時に、リレー１２５に流れる電流波形を記録する。
【００９４】
［第２の実施形態に係る照明制御システムの処理手順］
次に、図１２を用いて、第２の実施形態に係る照明制御システム２による記録処理の流れについて説明する。図１２は、第２の実施形態に係る照明制御システム２における記録処理の一例を示すフローチャートである。
【００９５】
具体的には、照明制御システム２では、まず、分電盤２００は、回路６０に接続される主幹ブレーカ１２３の電圧を測定する（ステップＳ２０１）。例えば、分電盤２００は、主幹ブレーカ１２３の２次側の電源電圧波形を測定する。
【００９６】
そして、分電盤２００は、電圧センサ２２６によって電源瞬停が測定された場合に（ステップＳ２０２；Ｙｅｓ）、電圧センサ２２６によって測定された電圧波形を記録する（ステップＳ２０３）。一方、分電盤２００は、電圧センサ２２６によって電源瞬停が測定されない場合には（ステップＳ２０２；Ｎｏ）、電圧センサ２２６によって測定された電圧波形の記録を行なわない。
【００９７】
また、分電盤２００は、回路６０に接続されるリレー１２５に流れる電流を測定する（ステップＳ２０４）。例えば、分電盤２００は、回路ごとに、リレー１２５に流れる電流の電流波形を測定する。
【００９８】
そして、分電盤２００は、リレー１２５の制御信号とリレー１２５の状態が一致しない場合に（ステップＳ２０５；Ｙｅｓ）、電流センサ２２７によって測定された電流波形を記録する（ステップＳ２０６）。一方、分電盤２００は、リレー１２５の制御信号とリレー１２５の状態が一致する場合には（ステップＳ２０５；Ｎｏ）、電流センサ２２７によって測定された電流波形の記録を行なわない。
【００９９】
［第２の実施形態の効果］
上述してきたように、第２の実施形態に係る照明制御システム２によれば、電圧センサ２２６によって電源瞬停が測定された場合に電圧波形を記録することができるので、電源配線の容量不足など電源瞬停の原因を解明するのに役立つ情報を確保することができる。
【０１００】
また、照明制御システム２は、リレー１２５の制御信号とリレー１２５の状態が一致しない場合に、電流センサ２２７によって測定された電流波形を記録することができるので、制御のずれの原因を解明するのに役立つ情報を確保することができる。
【０１０１】
［第２の実施形態の変形例］
（画面表示）
上記第２の実施形態では、照明制御システム２は、回路６０に関する各種の波形の記録を行なう例を示した。ここで、照明制御システム２は、各種の波形を記録するに限らず、各種の波形を表示してもよい。
【０１０２】
具体的には、照明制御システム２では、分電盤２００は、電圧センサ２２６によって測定された電圧波形を表示部１２１に表示する。例えば、分電盤２００は、電圧センサ２２６によって電源瞬停が測定されたときの電圧波形を表示部１２１に表示する。他の例では、分電盤２００は、電流センサ２２７によって測定された電流波形を表示部１２１に表示する。例えば、分電盤２００は、リレー１２５の制御信号とリレー１２５の状態が一致しないときに測定された電流波形を表示部１２１に表示する。
【０１０３】
これにより、照明制御システム２は、電源瞬停が測定されたときの電圧波形を表示することができるので、電源瞬停の原因を解明するのに役立つ情報を管理者に提供することができる。また、照明制御システム２は、リレー１２５の制御信号とリレー１２５の状態が一致しないときに測定された電流波形を表示することができるので、制御のずれの原因を解明するのに役立つ情報を管理者に提供することができる。
【０１０４】
［その他］
上記実施形態では、照明制御システム１、２は、回路６０に接続される装置として照明機器１０を一例に説明したが、照明機器１０に限らず、可搬型の調光器などその他の各種の舞台装置が回路６０に接続されてもよい。
【０１０５】
本発明のいくつかの実施形態を説明したが、これらの実施形態は、例として提示したものであり、発明の範囲を限定することは意図していない。これら実施形態は、その他の様々な形態で実施されることが可能であり、発明の要旨を逸脱しない範囲で、種々の省略、置き換え、変更を行うことができる。これら実施形態やその変形は、発明の範囲や要旨に含まれると同様に、特許請求の範囲に記載された発明とその均等の範囲に含まれるものである。
【符号の説明】
【０１０６】
１  照明制御システム
１０−１〜１０−ｎ  照明機器
１３  記憶部
１４  通信部
１５  制御部
１６  光源部
２０−１〜２０−ｎ  バトン装置
２３  通信部
２４−１〜２４−ｎ  ポート
３０  ハブ
５０  照明制御装置
５１  通信部
５２  操作部
５３  記憶部
５３ａ  アドレス管理テーブル
５４  表示部
５５  制御部
５６  出力部
１００  分電盤
１１０  通信部
１２０  記憶部
１２０ａ  回路管理テーブル
１２０ｂ  不使用時刻管理テーブル
１２１  表示部
１２２  電源部
１２３  主幹ブレーカ
１２４−１〜１２４−ｎ  分岐ブレーカ
１２５−１〜１２５−ｎ  リレー
１３０  制御部
１３１  リレー制御部
１３２  出力部
【図１】
0006665625.tif 000002
【図２】
0006665625.tif 000003
【図３】
0006665625.tif 000004
【図４】
0006665625.tif 000005
【図５】
0006665625.tif 000006
【図６】
0006665625.tif 000007
【図７】
0006665625.tif 000008
【図８】
0006665625.tif 000009
【図９】
0006665625.tif 000010
【図１０】
0006665625.tif 000011
【図１１】
0006665625.tif 000012
【図１２】
0006665625.tif 000013